(57)【要約】【課題】特定のユーザに縛られず、その状況に応じた情報を提供する。【解決手段】情報配信システム１００は、配信情報を配信する情報配信装置１と、配信情報を表示する情報表示端末２とを備えている。情報配信装置１は、ユーザに関するユーザ情報を管理するユーザ情報管理部１２と、情報表示端末２の近傍に存在するユーザを特定する宅内判定部１５ａと、宅内判定部１５ａによって特定されたユーザのユーザ情報をユーザ情報管理部１２から読み出し、ユーザ情報に基づいてユーザを対象とした配信情報を作成する配信情報作成部１５ｂとを有する。【選択図】図１
2012164056.tif 000002
【特許請求の範囲】
【請求項１】
配信情報を配信する情報配信装置と、該配信情報を表示する情報表示端末とを備えた情報配信システムであって、
前記情報配信装置は、ユーザに関するユーザ情報を管理するユーザ情報管理手段と、前記情報表示端末の近傍に存在するユーザを特定するユーザ特定手段と、前記ユーザ特定手段によって特定されたユーザの前記ユーザ情報を前記ユーザ情報管理手段から読み出し、該ユーザ情報に基づいて該ユーザを対象とした前記配信情報を作成する配信情報作成手段とを有することを特徴とする情報配信システム。
【請求項２】
配信情報を配信する情報配信装置と、該配信情報を表示する情報表示端末とを備えた情報配信システムであって、
前記情報表示端末は、該情報表示端末の近傍に存在するユーザを特定するユーザ特定手段を有し、
前記情報配信装置は、ユーザに関するユーザ情報を管理するユーザ情報管理手段と、前記ユーザ特定手段によって特定されたユーザの前記ユーザ情報を前記ユーザ情報管理手段から読み出し、該ユーザ情報に基づいて該ユーザを対象とした前記配信情報を作成する配信情報作成手段とを有することを特徴とする情報配信システム。
【請求項３】
請求項１又は２に記載の情報配信システムにおいて、
ユーザに携帯され、該ユーザ固有の識別情報を記憶し、該識別情報を送信するように構成された携帯端末をさらに備え、
前記ユーザ特定手段は、前記携帯端末が前記情報表示端末の近傍に存在するか否かを判定することによって、該情報表示端末の近傍に存在するユーザを特定することを特徴とする情報配信システム。
【請求項４】
情報表示端末に配信情報を配信する情報配信装置であって、
ユーザに関するユーザ情報を管理するユーザ情報管理手段と、
前記情報表示端末の近傍に存在するユーザを特定するユーザ特定手段と、
前記ユーザ特定手段によって特定されたユーザの前記ユーザ情報を前記ユーザ情報管理手段から読み出し、該ユーザ情報に基づいて該ユーザを対象とした前記配信情報を作成する配信情報作成手段とを有することを特徴とする情報配信装置。
【請求項５】
情報表示端末へ配信情報を配信する情報配信方法であって、
前記情報表示端末の近傍に存在するユーザを特定するユーザ特定ステップと、
ユーザに関するユーザ情報を管理するユーザ情報管理手段から、前記ユーザ特定手段によって特定されたユーザの該ユーザ情報を読み出し、該ユーザ情報に基づいて該ユーザを対象とした前記配信情報を作成する配信情報作成ステップと、
前記配信情報を配信するステップとを含むことを特徴とする情報配信方法。
【請求項６】
情報表示端末に配信情報を配信する情報配信装置のためのプログラムであって、
前記情報表示端末の近傍に存在するユーザを特定するユーザ特定ステップと、
ユーザに関するユーザ情報を管理するユーザ情報管理部から、前記ユーザ特定ステップによって特定されたユーザの前記ユーザ情報を読み出す読み出しステップと、
前記読み出しステップによって読み出した前記ユーザ情報に基づいて該ユーザを対象とした前記配信情報を作成する配信情報作成ステップとをコンピュータに実行させることを特徴とするプログラム。
【発明の詳細な説明】
【技術分野】
【０００１】
本発明は、情報配信システム、情報配信装置、情報配信方法及びプログラムに関する。
【背景技術】
【０００２】
近年、ユーザに情報を提供するに際し、ユーザの状況に応じた最適な情報を提供する技術が知られている。例えば、特許文献１に係る技術では、或る特定のユーザに関し、そのユーザが誰と一緒にいるのか、すなわち、友人といるのか、恋人といるのか、子供といるのかを判定し、その状況に応じた情報を提供している。
【先行技術文献】
【特許文献】
【０００３】
【特許文献１】特表２００４−０４９２２４号公報
【発明の概要】
【発明が解決しようとする課題】
【０００４】
しかしながら、特許文献１に係る技術は、非常に個人的な技術で汎用性がない。すなわち、特許文献１に係る技術は、或る１人の特定のユーザが必須である。その特定のユーザに情報を提供することを前提として、その特定のユーザが誰と一緒にいるのかによって、提供する情報を適宜変更するものである。つまり、その特定のユーザがその場に存在しない場合には、特許文献１に係る技術を利用することはできない。
【０００５】
特許文献１に係る技術では、例えば、家族で使用する情報表示端末に情報を配信するような場合に利便性が悪い。例えば、特定のユーザを父とすると、父が母と一緒にいる場合、父が息子と一緒にいる場合、父が娘と一緒にいる場合などには、その状況に応じた情報を提供することができる。しかしながら、父が不在の場合には、かかる技術を利用することができず、その状況に応じた情報を提供することができない。
【０００６】
本発明は、かかる点に鑑みてなされたものであり、その目的とするところは、特定のユーザに縛られず、その状況に応じた情報を提供することにある。
【課題を解決するための手段】
【０００７】
本発明は、配信情報を配信する情報配信装置と、該配信情報を表示する情報表示端末とを備えた情報配信システムが対象である。そして、前記情報配信装置は、ユーザに関するユーザ情報を管理するユーザ情報管理手段と、前記情報表示端末の近傍に存在するユーザを特定するユーザ特定手段と、前記ユーザ特定手段によって特定されたユーザの前記ユーザ情報を前記ユーザ情報管理手段から読み出し、該ユーザ情報に基づいて該ユーザを対象とした前記配信情報を作成する配信情報作成手段とを有するものとする。
【０００８】
別の本発明は、配信情報を配信する情報配信装置と、該配信情報を表示する情報表示端末とを備えた情報配信システムが対象である。そして、前記情報表示端末は、該情報表示端末の近傍に存在するユーザを特定するユーザ特定手段を有し、前記情報配信装置は、ユーザに関するユーザ情報を管理するユーザ情報管理手段と、前記ユーザ特定手段によって特定されたユーザの前記ユーザ情報を前記ユーザ情報管理手段から読み出し、該ユーザ情報に基づいて該ユーザを対象とした前記配信情報を作成する配信情報作成手段とを有するものとする。
【０００９】
さらに別の発明は、情報表示端末に配信情報を配信する情報配信装置を対象とする。そして、ユーザに関するユーザ情報を管理するユーザ情報管理手段と、前記情報表示端末の近傍に存在するユーザを特定するユーザ特定手段と、前記ユーザ特定手段によって特定されたユーザの前記ユーザ情報を前記ユーザ情報管理手段から読み出し、該ユーザ情報に基づいて該ユーザを対象とした前記配信情報を作成する配信情報作成手段とを有するものとする。
【００１０】
さらに別の発明は、情報表示端末へ配信情報を配信する情報配信方法を対象とする。そして、この情報配信方法は、前記情報表示端末の近傍に存在するユーザを特定するユーザ特定ステップと、ユーザに関するユーザ情報を管理するユーザ情報管理手段から、前記ユーザ特定手段によって特定されたユーザの該ユーザ情報を読み出し、該ユーザ情報に基づいて該ユーザを対象とした前記配信情報を作成する配信情報作成ステップと、前記配信情報を配信するステップとを含むものとする。
【００１１】
さらに別の発明は、情報表示端末に配信情報を配信する情報配信装置のためのプログラムが対象である。そして、該プログラムは、前記情報表示端末の近傍に存在するユーザを特定するユーザ特定ステップと、ユーザに関するユーザ情報を管理するユーザ情報管理部から、前記ユーザ特定ステップによって特定されたユーザの前記ユーザ情報を読み出す読み出しステップと、前記読み出しステップによって読み出した前記ユーザ情報に基づいて該ユーザを対象とした前記配信情報を作成する配信情報作成ステップとをコンピュータに実行させるものとする。
【発明の効果】
【００１２】
本発明によれば、情報表示端末の近傍に存在するユーザを特定し、そのユーザを対象とした配信情報を提供することができるので、特定のユーザが不在であっても、その状況に応じた情報を提供することができる。
【図面の簡単な説明】
【００１３】
【図１】実施形態１の情報配信システムのシステム構成を示す図である。
【図２】携帯端末の構成を示すブロック図である。
【図３】情報表示端末の構成を示すブロック図である。
【図４】情報配信装置の構成を示すブロック図である。
【図５】ユーザ情報の一例を示す図である。
【図６】宅内判定の方法を説明するための模式図である。
【図７】携帯端末が端末情報及び位置情報を送信する動作を示すフローチャートである。
【図８】情報表示端末が端末情報及び位置情報を送信する動作を示すフローチャートである。
【図９】情報配信装置の宅内判定処理を示すフローチャートである。
【図１０】情報表示端末が情報配信装置から配信情報を取得するときの動作を示すフローチャートである。
【図１１】情報配信装置が配信情報を送信する動作を示すフローチャートである。
【図１２】登録されたユーザの全てが宅内に存在するときの情報配信システムの全体の処理の流れを示すシーケンス図である。
【図１３】登録されたユーザの全てが宅内に存在するときに情報表示端末に表示される画面を示す図である。
【図１４】登録されたユーザの何れかが宅内に存在しないときの情報配信システムの全体の処理の流れを示すシーケンス図である。
【図１５】登録されたユーザの何れかが宅内に存在しないときに情報表示端末に表示される画面を示す図である。
【図１６】実施形態２に係る携帯端末のブロック図である。
【図１７】実施形態２に係る情報表示端末のブロック図である。
【図１８】実施形態２に係る情報配信装置のブロック図である。
【図１９】実施形態２に係る情報表示端末が宅内判定を行う動作を示すフローチャートである。
【図２０】実施形態２に係る情報配信装置が宅内判定結果を記録する動作を示すフローチャートである。
【図２１】ユーザ情報の一例を示す図である。
【発明を実施するための形態】
【００１４】
以下、本発明の例示的な実施形態を図面に基づいて詳細に説明する。
【００１５】
《発明の実施形態１》
図１は、本実施形態１の情報配信システムのシステム構成を示す図である。情報配信システム１００は、配信情報を配信する情報配信装置１と、該配信情報を受信して表示する情報表示端末２と、ユーザが携帯する携帯端末３ａ，３ｂ，…とを備えている。情報配信システム１００は、情報表示端末２の近傍に存在するユーザを対象とする配信情報を情報配信装置１から情報表示端末２へ配信し、該配信情報を情報表示端末２に表示させるものである。本実施形態では、情報表示端末２をリビング等においてテレビの傍に据え置いて、該情報表示端末２を介してユーザにお勧めのＴＶ番組情報や映画情報等を提供する場合について説明する。以下、携帯端末を他の携帯端末と区別しないときには、単に「携帯端末３」と称する。
【００１６】
〈携帯端末〉
図２は、携帯端末３の構成を示すブロック図である。前記携帯端末３は、ユーザに携帯される端末である。本実施形態では、携帯端末３は、携帯電話である。携帯端末３は、ユーザが所有するものであり、そのユーザ固有のものである。すなわち、携帯端末３を識別することによって、その携帯端末３を所有するユーザを特定することができる。また、携帯端末３はユーザに携帯され、ユーザと共に移動するものであるため、携帯端末３の位置がわかれば、ユーザの現在位置を特定することができる。携帯端末３は、ブロードバンドルータ５又は基地局６を介して、インターネット４上の情報配信装置１に接続される。
【００１７】
詳しくは、携帯端末３は、携帯端末３に関する情報（端末情報）を記憶しておく端末情報管理部３１と、携帯端末３の位置情報を取得して出力する位置情報取得部３２と、前記端末情報及び位置情報を送信する通信部３３と、これらを制御する制御部３４とを有している。
【００１８】
前記端末情報管理部３１は、ＲＯＭ、ＲＡＭ、メモリカード等で構成される記憶装置であって、端末の種類に関する情報と携帯端末ＩＤとを端末情報として記憶している。端末の種類に関する情報は、端末が情報表示端末２であるのか、携帯端末３であるのかを特定可能な種別情報である。携帯端末３の端末情報は、該携帯端末３を他の携帯端末３，３，…から識別できる情報であれば、どのような情報であってもよい。携帯端末ＩＤは、本実施形態では、携帯端末３に対して設定する。ただし、端末情報は、これに限られず、携帯端末３が本実施形態のように携帯電話の場合には、電話番号及びメールアドレスであってもよい。また、端末情報には、端末の種類に関する情報や携帯端末ＩＤ以外にも、携帯端末３に関するあらゆる情報が含まれていてもよい。
【００１９】
前記位置情報取得部３２は、ＧＰＳ（Global Positioning System）受信機を有しており、携帯端末３自身の位置をＧＰＳによって検出することができる。位置情報取得部３２は、ＧＰＳによって取得した携帯端末３自身の位置を位置情報として出力する。尚、位置情報取得部３２は、これに限定されるものではなく、位置を特定可能なあらゆる手段で実現することが可能である。
【００２０】
前記通信部３３は、図示は省略するが、送受信アンテナを備えた通信モジュールを有しており、信号の送受信を行う。詳しくは、通信部３３は、ネットワークを介して、情報配信装置１との間で信号の授受を行う。
【００２１】
前記制御部３４は、ＣＰＵで構成されており、位置情報取得部３２を作動させて位置情報を取得させたり、端末情報管理部３１から端末情報を読み出したり、通信部３３を作動させて端末情報及び位置情報を送信させたりする。
【００２２】
〈情報表示端末〉
図３は、情報表示端末２の構成を示すブロック図である。前記情報表示端末２は、自宅７内に配置され、ブロードバンドルータ５を介して、インターネット４上の情報配信装置１に接続される。前記情報表示端末２は、宅内において、好ましくは、テレビの傍らに据え置かれるものである。情報表示端末２は、前記情報配信装置１から受信した配信情報を所定の形式で表示する。
【００２３】
詳しくは、情報表示端末２は、情報表示端末２に関する固有の情報（端末情報）を記憶しておく端末情報管理部２１と、情報表示端末２の位置情報を取得して出力する位置情報取得部２２と、前記端末情報及び位置情報を送信すると共に、情報配信装置１から配信される配信情報を受信する通信部２３と、該配信情報に基づいて画面を表示する画面表示部２４と、これらを制御する制御部２５とを有している。
【００２４】
前記端末情報管理部２１は、ＲＯＭ、ＲＡＭ、メモリカード等で構成される記憶装置であって、端末の種類に関する情報と情報表示端末ＩＤとを端末情報として記憶している。端末の種類に関する情報は、端末が情報表示端末２であるのか、携帯端末３であるのかを特定可能な種別情報である。情報表示端末ＩＤは、情報表示端末２をユニークに特定可能なＩＤである。情報表示端末ＩＤは、情報表示端末２に予め設定されていてもよいし、ユーザが情報表示端末２に設定してもよい。情報表示端末２の端末情報は、該情報表示端末２を他の情報表示端末２，２，…から識別できる情報であれば、情報表示端末ＩＤに限定されず、どのような情報であってもよい。また、端末情報には、端末の種類に関する情報や情報表示端末ＩＤ以外にも、情報表示端末２に関するあらゆる情報が含まれていてもよい。
【００２５】
前記位置情報取得部２２は、携帯端末３の位置情報取得部３２と同様に、ＧＰＳ受信機を有しており、ＧＰＳによって取得した情報表示端末２自身の位置を位置情報として出力する。尚、位置情報取得部２２は、これに限定されるものではなく、位置情報を特定可能なあらゆる手段で実現することが可能である。
【００２６】
前記通信部２３は、図示は省略するが、送受信アンテナを備えた通信モジュールを有しており、信号の送受信を行う。詳しくは、通信部２３は、ネットワークを介して、情報配信装置１との間で信号の授受を行う。
【００２７】
前記画面表示部２４は、前記通信部２３が受信した配信情報に基づいて、画面を表示する。
【００２８】
前記制御部２５は、ＣＰＵで構成されており、位置情報取得部２２を作動させて位置情報を取得させたり、端末情報管理部２１から端末情報を読み出したり、通信部２３を作動させて端末情報及び位置情報を送信させたり、通信部２３を介して受信した配信情報を、画面表示部２４に表示させたりする。
【００２９】
〈情報配信装置〉
図４は、情報配信装置１の構成を示すブロック図である。前記情報配信装置１は、インターネット４に接続されており、情報表示端末２及び携帯端末３と情報通信が可能である。情報配信装置１は、情報表示端末２の近傍に存在する携帯端末３，３，…を特定し、特定された携帯端末３，３，…を所持するユーザを対象とした配信情報を作成し、作成した配信情報を該情報表示端末２へ配信する。
【００３０】
詳しくは、情報配信装置１は、情報表示端末２及び携帯端末３からの端末情報及び位置情報を受信すると共に、配信情報を送信する通信部１１と、ユーザに関する情報であるユーザ情報を記憶しておくユーザ情報管理部１２と、情報表示端末２の位置情報及び携帯端末３，３，…の宅内判定結果を記憶しておく宅内情報管理部１３と、ユーザに提供する各種情報を記憶しておく配信情報管理部１４と、これらを制御する制御部１５とを有している。
【００３１】
前記通信部１１は、図示は省略するが、送受信アンテナを備えた通信モジュールを有しており、信号の送受信を行う。詳しくは、通信部１１は、ネットワークを介して、情報表示端末２からの端末情報及び位置情報、並びに、携帯端末３，３，…からの端末情報及び位置情報を受信すると共に、情報表示端末２に対して配信情報を送信する。
【００３２】
前記ユーザ情報管理部１２は、ＲＯＭ、ＲＡＭ、ハードディスク、メモリカード等で構成される記憶装置であって、情報表示端末２を利用するユーザのユーザ情報を記憶している。ユーザ情報管理部１２は、１つの情報表示端末２についてのユーザ情報のみならず、複数の情報表示端末２，２，…のユーザ情報を記憶している。すなわち、ユーザ情報管理部１２は、複数の情報表示端末２，２，…について、各情報表示端末２に関連したユーザのユーザ情報を記憶している。このユーザ情報管理部１２がユーザ情報管理手段を構成する。
【００３３】
ここで、ユーザ情報とは、ユーザの識別情報（例えば、ユーザが所有する携帯端末３の携帯端末ＩＤ）、ユーザの属性及び嗜好に関する情報である。ユーザの属性とは、ユーザの特徴、性質であって、例えば、性別及び年齢等である。ユーザの嗜好とは、ユーザの嗜みや好みであって、例えば、趣味及び好きなＴＶ番組ジャンル等である。
【００３４】
図５に、ユーザ情報管理部１２に記憶しておくユーザ情報の一例を示す。ユーザ情報には、情報表示端末２の情報表示端末ＩＤと、該情報表示端末２と紐付けられた携帯端末３ａ，３ｂ，…の携帯端末ＩＤと、携帯端末３ａ，３ｂ，…を所有するユーザのユーザ名と、該ユーザの性別と、該ユーザの年齢と、該ユーザの趣味と、該ユーザの好きなＴＶ番組ジャンルとが含まれている。ユーザ名は、宅内でユーザを特定可能な識別子であって、場合によっては情報表示端末２に表示される。ユーザの性別、年齢、趣味及び好きなＴＶ番組ジャンルは、配信情報を作成する際に考慮される。これらのユーザ情報は、ユーザが情報配信装置１に事前に登録しておく。情報配信装置１への登録は、インターネットを介して専用のホームページにアクセスして、専用のホームページ上で情報を入力することで行われる。ホームページ上で入力された情報がユーザ情報管理部１２に記憶される。
【００３５】
図５の例では、情報表示端末ＩＤが「１００１」の情報表示端末２に対して、該情報表示端末２が設置される宅内に居住するユーザの所有する携帯端末３ａ，３ｂ，…の携帯端末ＩＤが「２００１」、「２００２」、「２００３」として登録されている。そして、携帯端末ＩＤ「２００１」に関しては、ユーザ名「父」、性別「男」、年齢「４５歳」、趣味「映画鑑賞」、好きなＴＶ番組ジャンル「ニュース、ゴルフ、野球、映画」が設定されている。携帯端末ＩＤ「２００２」に関しては、ユーザ名「母」、性別「女」、年齢「４０歳」、趣味「料理、映画鑑賞」、好きなＴＶ番組ジャンル「料理、ドラマ、映画」が設定されている。携帯端末ＩＤ「２００３」に関しては、ユーザ名「長男」、性別「男」、年齢「１５歳」、趣味「釣り」、好きなＴＶ番組ジャンル「ドラマ」が設定されている。
【００３６】
尚、図５では、情報表示端末ＩＤが「１００１」で表される情報表示端末２に関連するユーザ情報のみを示しているが、ユーザ情報管理部１２には、他の情報表示端末ＩＤの情報表示端末２に関連するユーザ情報も記憶されている。また、ユーザ情報は、上記の情報以外の情報であってもよい。例えば、好きなアーティストや興味のある言語等をユーザ情報としてもよい。あるいは、ユーザ情報として、趣味や好きなＴＶ番組ジャンル等のカテゴリーにとらわれず、自由なキーワードを設定可能にしてもよい。
【００３７】
前記宅内情報管理部１３は、ＲＯＭ、ＲＡＭ、ハードディスク、メモリカード等で構成される記憶装置であって、携帯端末３が宅内に存在するか否かを表す宅内フラグを携帯端末ＩＤと共に記憶している。この宅内情報管理部１３は、ユーザ情報管理部１２と別の記憶装置であってもよいし、同じ記憶装置で構成されていてもよい。また、宅内情報管理部１３は、情報表示端末２の端末情報及び位置情報を記憶している。
【００３８】
前記配信情報管理部１４は、ユーザに提供する情報を記憶しておくデータベースである。例えば、配信情報管理部１４は、料理のレシピや、お出かけ情報、映画情報及び、番組情報を記憶している。配信情報管理部１４は、これらの情報を画面上に表示するための画面情報と合わせて記憶している。尚、配信情報管理部１４に記憶される情報は、これに限定されるものではない。また、配信情報管理部１４に記憶される情報のうち、番組情報や天気情報のように、日々変更される情報は、定期的に更新される。
【００３９】
制御部１５は、携帯端末３，３，…が宅内に存在するか否かを判定する宅内判定部１５ａと、実際に配信する情報を作成する配信情報作成部１５ｂとを有している。制御部１５は、例えば、ＣＰＵで構成されており、このＣＰＵがプログラムを実行することによって、該宅内判定部１５ａ及び配信情報作成部１５ｂとして機能する。尚、情報配信装置１は、宅内判定部１５ａとして機能するＣＰＵと、配信情報作成部１５ｂとして機能するＣＰＵとを別々に有していてもよい。
【００４０】
前記宅内判定部１５ａは、情報表示端末２から各携帯端末３までの距離に基づいて、該携帯端末３が宅内に存在するか否かを判定（以下、この判定を「宅内判定」という）する。図６は、携帯端末３ａ，３ｂ，…が宅内に存在するか否かを判定する方法を説明するための模式図である。宅内判定部１５ａは、情報表示端末２の端末情報及び位置情報が通信部１１を介して受信されたときに、該情報表示端末２の端末情報及び位置情報を宅内情報管理部１３に記憶させる。また、宅内判定部１５ａは、携帯端末３の端末情報及び位置情報が通信部１１を介して受信されたときには、該携帯端末３が紐付けられた情報表示端末２の位置情報を宅内情報管理部１３から読み出し、以下の宅内判定を行う。この宅内判定部１５ａがユーザ特定手段を構成する。
【００４１】
詳しくは、宅内判定部１５ａは、情報表示端末２から各携帯端末３ａ，３ｂ，…までの距離Ｄを求め、当該距離Ｄが所定の距離Ｄ０以下であれば、その携帯端末３ａ，３ｂ，…は宅内に存在すると判定する。図６の例で説明すれば、携帯端末３ａは、情報表示端末２からの距離ＤａがＤ０以下であるので、宅内に存在すると判定される。一方、携帯端末３ｂは、情報表示端末２からの距離ＤｂがＤ０よりも大きいので、宅内に存在しないと判定される。ここで、宅内判定の基準となる距離Ｄ０は、宅内に存在すると判定できる程度の値に予め設定されている。尚、この距離Ｄ０は、ユーザが設定可能であってもよい。宅内判定部１５ａは、この宅内判定を、携帯端末３からの端末情報及び位置情報を受信する度に実行する。そして、宅内判定部１５ａは、宅内判定の結果に基づいて、携帯端末３が宅内に存在するか否かを表す宅内フラグを設定し、該宅内フラグを該携帯端末３の携帯端末ＩＤと紐付けて宅内情報管理部１３に記憶させる。例えば、携帯端末３が宅内に存在する場合には、宅内フラグを「１」に設定する一方、携帯端末３が宅内に存在しない場合には、宅内フラグを「０」に設定する。
【００４２】
前記配信情報作成部１５ｂは、宅内情報管理部１３に記憶された、宅内に存在する携帯端末３，３，…のユーザ情報をユーザ情報管理部１２から読み出し、読み出したユーザ情報に基づいて配信情報管理部１４内の情報を選択し、情報表示端末２に配信する配信情報（画面情報）を作成する。すなわち、配信情報作成部１５ｂは、情報表示端末２に紐付けられた携帯端末３，３，…のいずれが宅内に存在するかによって、送信する配信情報を変更する。この配信情報作成部１５ｂが配信情報作成手段を構成する。
【００４３】
続いて、このように構成された情報配信システム１００の動作について説明する。
【００４４】
図７は、携帯端末３が端末情報及び位置情報を送信する動作を示すフローチャートである。まず、ステップＳａ１において、携帯端末３の制御部３４は、位置情報取得部３２に該携帯端末３の位置情報を取得させる。次に、ステップＳａ２において、制御部３４は、端末情報管理部３１から端末情報を読み出す。続いて、制御部３４は、ステップＳａ３において、該端末情報及び位置情報を通信部３３へ入力し、通信部３３に該端末情報及び位置情報を情報配信装置１へ送信させる。制御部３４は、これらステップＳａ１〜Ｓａ３を定期的（例えば、１時間ごと）に行う。すなわち、携帯端末３は、端末情報及び位置情報を情報配信装置１へ定期的に送信する。
【００４５】
図８は、情報表示端末２が端末情報及び位置情報を送信する動作を示すフローチャートである。まず、ステップＳｂ１において、情報表示端末２の制御部２５は、位置情報取得部２２に該情報表示端末２の位置情報を取得させる。次に、ステップＳｂ２において、制御部２５は、端末情報管理部２１から端末情報を読み出す。続いて、制御部２５は、ステップＳｂ３において、該端末情報及び位置情報を通信部２３へ入力し、通信部２３に該端末情報及び位置情報を情報配信装置１へ送信させる。制御部２５は、これらステップＳｂ１〜Ｓｂ３を定期的（例えば、１時間ごと）に行う。すなわち、情報表示端末２は、端末情報及び位置情報を情報配信装置１へ定期的に送信する。尚、情報表示端末２が端末情報及び位置情報を送信する時間間隔は、携帯端末３が端末情報及び位置情報を送信する時間間隔と同じであってもよいし、異なっていてもよい。情報表示端末２が宅内に据え置かれることが想定される場合には、情報表示端末２は携帯端末３のように頻繁に移動するものではないため、送信頻度は、例えば、１日１回などのように、携帯端末３よりも少なくてもよい。
【００４６】
図９は、情報配信装置１の宅内判定処理を示すフローチャートである。まず、ステップＳｃ１において、情報配信装置１の宅内判定部１５ａは、情報表示端末２からの端末情報及び位置情報、又は、携帯端末３からの端末情報及び位置情報を通信部１１を介して受信する。次に、宅内判定部１５ａは、ステップＳｃ２において、受信された端末情報及び位置情報が携帯端末３からのものか否かを判定する。そして、情報表示端末２からのものであるときにはステップＳｃ３へ進む一方、携帯端末３のものであるときにはステップＳｃ４へ進む。
【００４７】
ステップＳｃ３では、宅内判定部１５ａは、情報表示端末２の端末情報及び位置情報を宅内情報管理部１３に記憶させる。端末情報が一致する情報表示端末２の位置情報が宅内情報管理部１３に既に記憶されている場合には、宅内判定部１５ａは、その位置情報を受信した位置情報で更新する。
【００４８】
一方、ステップＳｃ４では、宅内判定部１５ａは、受信した携帯端末３の端末情報に基づいて、該携帯端末３が紐付けられた情報表示端末２の位置情報を宅内情報管理部１３から読み出す。そして、宅内判定部１５ａは、読み出した情報表示端末２の位置情報と受信した携帯端末３の位置情報とを用いて前述の宅内判定を行う。宅内判定部１５ａは、判定結果に基づいて、宅内フラグを設定して、該宅内フラグを携帯端末ＩＤと共に宅内情報管理部１３に記憶させる。詳しくは、携帯端末３が宅内に存在するときには、宅内判定部１５ａは、ステップＳｃ６において、宅内フラグを有効に設定して、宅内情報管理部１３に記憶させる。一方、携帯端末３が宅内に存在しないときには、宅内判定部１５ａは、ステップＳｃ７において、宅内フラグを無効に設定して、宅内情報管理部１３に記憶させる。尚、端末情報が一致する携帯端末３の宅内フラグが既に宅内情報管理部１３に記憶されている場合には、宅内判定部１５ａは、最新の判定結果に基づいて宅内フラグを更新する。
【００４９】
図１０は、情報表示端末２が情報配信装置１から配信情報を取得するときの動作を示すフローチャートである。まず、ステップＳｄ１において、制御部２５は、端末情報管理部２１から端末情報を取得する。次に、ステップＳｄ２において、制御部２５は、該端末情報と共に配信情報要求を通信部２３を介して情報配信装置１へ送信する。この配信情報要求は、制御部２５が定期的（例えば、１時間ごとに）に行ってもよいし、ユーザから情報表示端末２への入力があったときに行ってもよい。続いて、ステップＳｄ３において、制御部２５は、情報配信装置１から配信された配信情報を通信部２３を介して受信する。そして、ステップＳｄ４において、制御部２５は、受信した配信情報に基づいて、画面表示部２４に画面を表示させる。
【００５０】
図１１は、情報配信装置１が配信情報を送信する動作を示すフローチャートである。まず、ステップＳｅ１において、配信情報作成部１５ｂは、情報表示端末２からの端末情報を含んだ配信情報要求を通信部１１を介して受信する。次に、配信情報作成部１５ｂは、該端末情報により識別される情報表示端末２に紐付けられている携帯端末３，３，…のうち、宅内に存在する携帯端末３，３，…を宅内情報管理部１３から検索する。詳しくは、配信情報作成部１５ｂは、宅内フラグに基づいて、宅内に存在する携帯端末３，３，…を検索する。続いて、配信情報作成部１５ｂは、ステップＳｅ３において、宅内に存在する携帯端末３，３，…のユーザ情報をユーザ情報管理部１２から読み出し、配信情報にどのコンテンツを含めるかを選択する。配信情報作成部１５ｂは、ステップＳｅ４において、選択したコンテンツに基づいて、配信情報管理部１４から情報を取得し、配信情報を作成する。具体的には、配信情報作成部１５ｂは、選択したコンテンツに応じて、配信情報管理部１４から画面情報を取得して、配信情報を作成する。配信情報作成部１５ｂは、ステップＳｅ５において、作成した配信情報を通信部１１を介して情報表示端末２へ送信させる。
【００５１】
このように構成された情報配信システム１００の全体の処理の流れを、図１２〜１５を参照しながら説明する。図１２は、登録されたユーザの全てが宅内に存在するときの情報配信システム１００の全体の処理の流れを示すシーケンス図であり、図１３は、登録されたユーザの全てが宅内に存在するときに情報表示端末２に表示される画面の例であり、図１４は、登録されたユーザの何れかが宅内に存在しないときの情報配信システム１００の全体の処理の流れを示すシーケンス図であり、図１５は、登録されたユーザの何れかが宅内に存在しないときに情報表示端末２に表示される画面の例である。以下の例では、携帯端末３ａは、父が所有するものであり、携帯端末３ｂは、母が所有するものであり、携帯端末３ｃは、長男が所有するものである。
【００５２】
まず、父、母及び長男の全員が宅内に存在するときの処理の流れについて説明する。
【００５３】
始めに、情報表示端末２が、情報配信装置１に対して、端末情報及び位置情報を送信する（Ｓｆ１）。情報配信装置１は、前記情報表示端末２から受信した端末情報及び位置情報を記録する（Ｓｆ２）。
【００５４】
次に、携帯端末３ａが、情報配信装置１に対して、端末情報及び位置情報を送信する（Ｓｆ３）。情報配信装置１は、携帯端末３ａから端末情報及び位置情報を受信すると、携帯端末３ａに関して宅内判定を行う。この例では、携帯端末３ａが宅内に存在するので、情報配信装置１は、携帯端末３ａを所有する父が宅内にいることを記録する（Ｓｆ４）。同様に、携帯端末３ｂ，３ｃも、情報配信装置１に対して、端末情報及び位置情報を送信し（Ｓｆ５，Ｓｆ７）、情報配信装置１が携帯端末３ｂ，３ｃの宅内判定を行う（Ｓｆ６，ｓｆ８）
続いて、情報表示端末２が、配信情報要求を送信する（Ｓｆ９）。情報配信装置１は、配信情報要求を受信すると、情報表示端末２と紐付けられた携帯端末３ａ，３ｂ，３ｃのうち、宅内に存在する携帯端末のユーザ情報を宅内情報管理部１３から収集する（Ｓｆ１０）。この例では、情報配信装置１は、父、母及び長男の全員のユーザ情報を収集する。そして、情報配信装置１は、収集したユーザ情報に基づいて、配信情報管理部１４から情報を取得し、配信情報を作成する（Ｓｆ１１）。情報配信装置１は、こうして作成した配信情報を情報表示端末２へ配信する（Ｓｆ１２）。
【００５５】
情報表示端末２は、情報配信装置１から送信された配信情報を受信して、該配信情報に基づいて画面を表示する（Ｓｆ１３）。
【００５６】
この例では、父と母と長男が宅内に存在するため、情報表示端末２には、図１３に示すように、週末の計画を立てるためのお出かけ情報を提供するサーバへのリンクや、母と長男が好きなＴＶ番組であるドラマや、家族で楽しめるバラエティ番組がお勧めとして表示される。
【００５７】
前記携帯端末３，３，…から情報配信装置１への端末情報及び位置情報の送信は定期的に行われるため、情報配信装置１は、各携帯端末３が宅内に存在するか否かを定期的に判定している。そして、情報配信装置１は、配信情報要求を受信したときの携帯端末３，３，…の在宅状況に応じて、在宅するユーザを対象とする配信情報を作成して、それを配信する。例えば、長男が宅内に不在の場合は、図１４に示すような流れとなる。
【００５８】
情報表示端末２及び携帯端末３ａ，３ｂが情報配信装置１に端末情報及び位置情報を送信し、情報配信装置１がそれらを記録したり、それらを用いて宅内判定を行う流れ（Ｓｇ１〜Ｓｇ６）は、ユーザの全員が宅内に存在するときと同様である。
【００５９】
この例では、長男の携帯端末３ｃに対する処理が異なる。すなわち、携帯端末３ｃが、情報配信装置１に対して、端末情報及び位置情報を送信する（Ｓｇ７）。情報配信装置１は、携帯端末３ｃから端末情報及び位置情報を受信すると、携帯端末３ｃに関して宅内判定を行う。携帯端末３ｃは宅内に存在しないので、情報配信装置１は、携帯端末３ｃを所有する長男が宅内にいないことを記録する（Ｓｇ８）。
【００６０】
続いて、情報表示端末２が、配信情報要求を送信する（Ｓｇ９）。情報配信装置１は、配信情報要求を受信すると、父及び母のユーザ情報を収集し、長男のユーザ情報は収集しない（Ｓｇ１０）。そして、情報配信装置１は、収集したユーザ情報に基づいて、配信情報管理部１４から情報を取得し、配信情報を作成する（Ｓｇ１１）。情報配信装置１は、こうして作成した配信情報を情報表示端末２へ配信する（Ｓｇ１２）。
【００６１】
情報表示端末２は、情報配信装置１から送信された配信情報を受信して、該配信情報に基づいて画面を表示する（Ｓｇ１３）。
【００６２】
この例では、父と母が宅内に存在し、長男が存在しないため、情報表示端末２には、図１５に示すように、母の趣味である料理に関連したレシピ情報を提供するサーバへのリンクや、父と母の共通の趣味である映画に関する情報を提供するサーバへのリンクや、父の好きなＴＶ番組であるゴルフ中継及びプロ野球中継や、母の好きなＴＶ番組である料理番組がお勧めとして表示される。
【００６３】
前記情報配信装置１は、前述の制御を制御部１５に実行させるプログラムを記憶装置（図示省略）に格納しており、該プログラムをメインメモリに読み込むことによって制御部１５が前述の制御を実行する。情報表示端末２及び携帯端末３も同様に、前述の制御をそれぞれの制御部２５，３４に実行させるプログラムを記憶装置（図示省略）に格納しており、該プログラムをメインメモリ（図示省略）に読み込むことによって制御部２５，３４が前述の制御を実行する。
【００６４】
したがって、本実施形態によれば、情報配信システム１００の情報配信装置１は、ユーザに関するユーザ情報を管理するユーザ情報管理部１２と、情報表示端末２の近傍に存在するユーザを特定する宅内判定部１５ａと、宅内判定部１５ａによって特定されたユーザの前記ユーザ情報を前記ユーザ情報管理部１２から読み出し、該ユーザ情報に基づいて該ユーザを対象とした配信情報を作成する配信情報作成部１５ｂとを有している。これにより、情報表示端末２の近傍に存在するユーザを対象にした配信情報を提供することができる。すなわち、情報表示端末２の近傍に特定のユーザ（例えば、父）が存在しなくても、その場に存在するユーザを対象とした配信情報を提供できるので、情報配信システム、情報配信装置及び情報表示端末の汎用性を向上させることができる。
【００６５】
《発明の実施形態２》
続いて、実施形態２に係る情報配信システム２００について説明する。情報配信システム２００は、情報表示端末２０２が宅内判定を行う点で、実施形態１とは異なる。そこで、実施形態１と同様の構成については同様の符号を付して説明を省略し、異なる部分を中心に説明する。尚、実施形態２において、実施形態１と同様の構成要素については、実施形態１の符号を２００番台に変更して表している。
【００６６】
情報配信システム２００のシステム構成は、実施形態１に係る情報配信システム１００と同様である。すなわち、情報配信システム２００は、配信情報を配信する情報配信装置２０１と、該配信情報を受信して表示する情報表示端末２０２と、ユーザが携帯する携帯端末２０３ａ，２０３ｂ，…とを備えている。
【００６７】
〈携帯端末〉
図１６に、実施形態２に係る携帯端末２０３のブロック図を示す。携帯端末２０３は、基本的な構成は実施形態１と同様であり、携帯端末２０３の端末情報を記憶しておく端末情報管理部３１と、携帯端末２０３の位置情報を取得して出力する位置情報取得部３２と、前記端末情報及び位置情報を送信する通信部２３３と、これらを制御する制御部２３４とを有している。端末情報管理部３１及び位置情報取得部３２は、実施形態１と同様である。
【００６８】
通信部２３３は、情報配信装置１との間で信号の授受を行うための通信モジュールに加えて、Ｂｌｕｅｔｏｏｔｈ（登録商標）通信規格に基づいて無線通信を行うＢＴモジュールを有している。このＢｌｕｅｔｏｏｔｈ通信は、近距離無線通信の一例であり、通信部２３３は、Ｂｌｕｅｔｏｏｔｈ通信規格以外の近距離無線通信規格を採用する近距離無線通信モジュールを有していてもよい。
【００６９】
制御部２３４は、実施形態１における制御に加えて、情報表示端末２０２からの後述するリクエスト信号を通信部２３３のＢＴモジュールを介して受信したときに、端末情報管理部３１から携帯端末ＩＤを読み出し、該携帯端末ＩＤを含むＩＤ信号を通信部２３３のＢＴモジュールを介して送信させる。
【００７０】
〈情報表示端末〉
図１７に、実施形態２に係る情報表示端末２０２のブロック図を示す。情報表示端末２０２は、情報表示端末２０２の端末情報を記憶しておく端末情報管理部２１と、情報表示端末２０２の位置情報を取得して出力する位置情報取得部２２と、前記端末情報及び位置情報を送信すると共に、情報配信装置２０１から配信される配信情報を受信する通信部２２３と、該配信情報に基づいて画面を表示する画面表示部２４と、これらを制御する制御部２２５とを有している。端末情報管理部２１、位置情報取得部２２、及び画面表示部２４は、実施形態１と同様である。
【００７１】
前記通信部２２３は、情報配信装置２０１との間で信号の授受を行うための通信モジュールに加えて、Ｂｌｕｅｔｏｏｔｈ通信規格に基づいて無線通信を行うＢＴモジュールを有している。このＢｌｕｅｔｏｏｔｈ通信は、近距離無線通信の一例であり、通信部２３３は、Ｂｌｕｅｔｏｏｔｈ通信規格以外の近距離無線通信規格を採用する近距離無線通信モジュールを有していてもよい。ただし、近距離無線通信規格は、携帯端末２０３の近距離無線通信規格と同じである必要がある。
【００７２】
制御部２２５は、通信部２２３のＢＴモジュールを介して、リクエスト信号を定期的（例えば、１時間ごと）に送信する。そして、制御部２２５は、そのリクエスト信号に対して、携帯端末２０３からのＩＤ信号を該通信部２２３のＢＴモジュールを介して受信したときには、該携帯端末２０３が情報表示端末２０２の近傍に存在する、即ち、宅内に存在すると判定する。Ｂｌｕｅｔｏｏｔｈ通信規格は、電波の到達距離が１〜１００ｍ程度であるので、情報表示端末２０２から電波の到達範囲内に存在する携帯端末２０３，２０３，…だけが、情報表示端末２０２のリクエスト信号に応えてＩＤ信号を返信する。こうして、制御部２２５は、携帯端末２０３，２０３，…が情報表示端末２０２の近傍に存在するか否かを判定することができる。そして、近距離無線通信の電波の到達範囲を変更することによって、携帯端末２０３，２０３，…を検出できる範囲を変更することができる。情報表示端末２０２は、電波の到達範囲を、宅内と判定できる程度の値（例えば、１０ｍ）に設定している。この制御部２２５がユーザ特定手段を構成する。
【００７３】
こうして、制御部２２５は、携帯端末２０３，２０３，…の宅内判定を行った後、宅内に存在する携帯端末２０３の携帯端末ＩＤを通信部２２３を介して情報配信装置２０１へ送信する。
【００７４】
〈情報配信装置〉
図１８に、実施形態２に係る情報配信装置２０１のブロック図を示す。情報配信装置２０１は、配信情報を送信する通信部１１と、ユーザに関する情報であるユーザ情報を記憶しておくユーザ情報管理部１２と、情報表示端末２の位置情報及び携帯端末２０３の宅内判定結果を記憶しておく宅内情報管理部１３と、ユーザに提供する各種情報を記憶しておく配信情報管理部１４と、これらを制御する制御部２１５とを有している。通信部１１、ユーザ情報管理部１２、宅内情報管理部１３及び配信情報管理部１４は、実施形態１と同様である。
【００７５】
制御部２１５は、実際に配信する情報を作成する配信情報作成部２１５ｂを有しており、実施形態１の宅内判定部１５ａを有していない。配信情報作成部２１５ｂは、情報表示端末２０２から送信される、携帯端末２０３の携帯端末ＩＤを通信部１１を介して受信すると、該携帯端末ＩＤの宅内フラグを「１」に設定し、該宅内フラグを携帯端末ＩＤと紐付けて宅内情報管理部１３に記憶させる。尚、配信情報作成部２１５ｂが、情報表示端末２からの配信情報要求を受けて、配信情報を作成して配信する処理は、実施形態１と同様である。
【００７６】
続いて、このように構成された情報配信システム２００の動作について説明する。
【００７７】
図１９は、情報表示端末２０２が宅内判定を行う動作を示すフローチャートである。まず、ステップＳｈ１において、制御部２２５は、リクエスト信号を送信する。そして、制御部２２５は、ステップＳｈ２において、携帯端末２０３，２０３，…からの携帯端末ＩＤの返信が所定期間内にあるか否かを判定する。制御部２２５は、所定期間内に携帯端末ＩＤを受信したときには、ステップＳｈ３に進む一方、所定期間内に携帯端末ＩＤを受信しないときには、フローを終了する。携帯端末ＩＤを受信したときには、制御部２２５は、その携帯端末ＩＤを含む信号を通信部２２３の通信モジュールを介して情報配信装置２０１へ送信する。
【００７８】
図２０は、情報配信装置２０１が宅内判定結果を記録する動作を示すフローチャートである。まず、ステップＳｉ１において、配信情報作成部２１５ｂは、情報表示端末２０２から、携帯端末ＩＤを含む信号を受信したか否かを判定する。配信情報作成部２１５ｂは、該信号を受信したときには、ステップＳｉ２に進む一方、該信号を受信しないときには、ステップＳｉ１を繰り返す。そして、配信情報作成部２１５ｂは、ステップＳｉ２において、受信した信号に含まれる携帯端末ＩＤの宅内フラグを有効に設定し、該宅内フラグを宅内情報管理部１３に記憶させる。
【００７９】
尚、情報配信装置２０１が配信情報を送信する動作は実施形態１と同様である。
【００８０】
前記情報配信装置２０１は、前述の制御を制御部２１５に実行させるプログラムを記憶装置（図示省略）に格納しており、該プログラムをメインメモリに読み込むことによって制御部２１５が前述の制御を実行する。情報表示端末２０２及び携帯端末２０３も同様に、前述の制御をそれぞれの制御部２２５，２３４に実行させるプログラムを記憶装置（図示省略）に格納しており、該プログラムをメインメモリ（図示省略）に読み込むことによって制御部２２５，２３４が前述の制御を実行する。
【００８１】
したがって、本実施形態によれば、情報表示端末２０２は、該情報表示端末２０２の近傍に存在するユーザを特定する制御部２２５を有し、情報配信装置２０１は、ユーザに関するユーザ情報を管理するユーザ情報管理部１２と、前記情報表示端末２０２の制御部２２５によって特定されたユーザの前記ユーザ情報を前記ユーザ情報管理部１２から読み出し、該ユーザ情報に基づいて該ユーザを対象とした配信情報を作成する配信情報作成部１５ｂとを有している。これにより、情報表示端末２０２の近傍に存在するユーザを対象にした配信情報を提供することができる。すなわち、情報表示端末２０２の近傍に特定のユーザ（例えば、父）が存在しなくても、その場に存在するユーザを対象とした配信情報を提供できるので、情報配信システム、情報配信装置及び情報表示端末の汎用性を向上させることができる。
【００８２】
《その他の実施形態》
本発明は、実施形態１，２について、以下のような構成としてもよい。
【００８３】
前記実施形態１では、携帯端末３が情報配信装置１へ端末情報及び位置情報を定期的に送信することによって宅内判定が行われるが、宅内判定を行うタイミングはこれに限られるものではない。例えば、情報配信装置１がポーリングにより、定期的に、携帯端末３に位置情報を要求することによって宅内判定を行ってもよい。この場合、各携帯端末３が情報配信装置１からの要求信号を受信したときには、各携帯端末３は、位置情報の取得を行って該位置情報及び端末情報を情報配信装置１へ送信する。さらには、情報配信装置１が情報表示端末２からの端末情報及び位置情報を受信したときに、情報配信装置１から携帯端末３，３，…へ端末情報及び位置情報の送信を要求する信号を送信するように構成してもよい。さらにまた、情報配信装置１が情報表示端末２から配信情報要求を受信したときに、情報配信装置１から情報表示端末２及び携帯端末３，３，…へ端末情報及び位置情報の送信を要求する信号を送信するように構成してもよい。また、ユーザ自らがユーザのタイミングで携帯端末３を操作して、携帯端末３から情報配信装置１へ端末情報及び位置情報を送信して、宅内判定を行わせるように構成してもよい。
【００８４】
尚、手動による携帯端末３の端末情報及び位置情報の送信は、該端末情報及び位置情報の自動的な送信と組み合わせてもよい。すなわち、携帯端末３から情報配信装置１へ所定のタイミングで端末情報及び位置情報が自動的に送信されることを基本の構成とし、ユーザが帰宅した場合のように、ユーザが情報表示端末２の近傍に位置するようになったときに、そのことをユーザ自らが情報配信装置１へ報知するために、手動で携帯端末３の端末情報及び位置情報を送信するように構成してもよい。
【００８５】
前記実施形態２についても同様に、宅内判定は、情報表示端末２０２からのリクエスト信号の定期的な送信によるものに限られない。例えば、携帯端末２０３が定期的に携帯端末ＩＤをＢｌｕｅｔｏｏｔｈモジュールを介して送信するように構成してもよい。この場合には、情報表示端末２０２は、携帯端末ＩＤを受信したときに、該携帯端末ＩＤを携帯端末３が宅内に存在すると判定して、該携帯端末ＩＤを情報配信装置２０１へ送信する。また、ユーザ自らが携帯端末２０３を操作して、携帯端末２０３から情報表示端末２０２へＢＴモジュールを介して携帯端末ＩＤを送信して、宅内判定を行わせるように構成してもよい。
【００８６】
また、情報表示端末２０２による宅内判定は、Ｂｌｕｅｔｏｏｔｈに限られるものではない。例えば、ＲＦＩＤ（Radio Frequency IDentification）を用いるものであってもよい。すなわち、携帯端末２０３は、ＲＦＩＤタグを有し、情報表示端末２０２は、リーダ／ライタを有する。そして、携帯端末２０３を情報表示端末２０２にかざすことによって、携帯端末２０３が情報表示端末２０２の近傍に存在することを検知する。
【００８７】
尚、実施形態１の変形例と同様に、手動による携帯端末２０３の端末情報及び位置情報の送信は、該端末情報及び位置情報の自動的な送信と組み合わせてもよい。
【００８８】
さらには、携帯端末３を用いない情報配信システムであってもよい。この場合には、宅内に存在するユーザが情報表示端末２０２を操作する（例えば、情報表示端末２０２に設けられた在宅スイッチを押圧する）ことによって、情報表示端末２０２がユーザが宅内に存在するか否かを判定するように構成してもよい。
【００８９】
また、前記実施形態１においては、情報表示端末２から情報配信装置１へ端末情報及び位置情報が定期的に送信されているが、これに限られるものではない。情報表示端末２が宅内に据え置かれるものである場合には、情報表示端末２から情報配信装置１へ端末情報及び位置情報を１度だけ送信するように構成してもよい。その場合であっても、ユーザの要求に応じて、情報表示端末２から情報配信装置１への端末情報及び位置情報の送信ができるように構成することが好ましい。こうすることによって、情報表示端末２を移動させたときには、その都度、情報配信装置１へ端末情報及び位置情報を送信して、情報表示端末２の位置を報知することができる。
【００９０】
尚、情報表示端末２から情報配信装置１への、情報表示端末２の位置情報の報知は、端末情報及び位置情報の送信に限られるものではない。例えば、専用のホームページを介して、情報表示端末２が設置される自宅の住所又は電話番号等を登録することによって、情報配信装置１に情報表示端末２の端末情報及び位置情報を設定する構成であってもよい。
【００９１】
また、前記実施形態１，２においては、情報表示端末２から情報配信装置１への配信情報要求が定期的に行われているが、これに限られるものではない。例えば、ユーザが情報表示端末２を操作することによって、情報表示端末２から情報配信装置１へ配信情報要求が送信されるように構成されていてもよい。さらには、携帯端末３から情報配信装置１へ配信情報要求を送信するように構成されていてもよい。あるいは、配信情報要求なしに、情報配信装置１が定期的に配信情報を配信するように構成されていてもよい。
【００９２】
また、前記実施形態１，２では、情報配信装置１，２０１がユーザ情報管理部１２、宅内情報管理部１３及び配信情報管理部１４を有しているが、これに限られるものではない。ユーザ情報管理部１２、宅内情報管理部１３及び配信情報管理部１４の全て又は何れかは、情報配信装置１，２０１とは別に、外部のデータベースとして設けられていてもよい。
【００９３】
さらに、前記実施形態１，２では、携帯端末３，２０３として携帯電話を用いているが、これに限られるものではない。情報配信システム専用の携帯端末を採用してもよい。
【００９４】
前記実施形態１，２では、情報表示端末２，２０２が宅内に設置されるものであるが、これに限られるものではない。例えば、情報表示端末２，２０２は、旅行等の外出時にユーザに携帯されるものであってもよい。その場合には、携帯端末３，２０３が宅内に存在するか否かではなく、携帯端末３，２０３が情報表示端末２，２０２の近傍に存在するか否かが判定され、それに応じて配信情報が作成される。具体的には、実施形態１の場合には、携帯端末３が情報表示端末２から距離Ｄ０の範囲内に存在するか否かによって、携帯端末３が情報表示端末２の近傍に存在するか否かを判定する。このときの基準となる距離Ｄ０は、宅内判定のときと同じ値であってもよいし、例えば、車内や、集団で一緒に歩いているときを想定して、宅内判定のときよりは短い値に設定してもよい。実施形態２の場合には、携帯端末２０３が情報表示端末２０２から、近距離無線通信を実行することができる範囲内に存在するか否かによって、携帯端末２０３が情報表示端末２０２の近傍に存在するか否かを判定する。
【００９５】
また、情報表示端末２，２０２が外出時に使用されるように構成されている場合には、ユーザ情報として、前記実施形態の他に、目的地に関する嗜好や食に関する嗜好を追加することが好ましい。その一例を図２１に示す。目的地に関する嗜好としては、旅行に訪れたい場所のジャンルや、遊びに行きたい場所のジャンル等であって、具体的には、海、山、市街地、寺・神社、遺跡、世界遺産、遊園地、ショッピングモール等である。食に関する嗜好としては、食べ物のジャンルに関するものであって、具体的には、和食、洋食、中華、ラーメン、スイーツ等である。情報配信装置１，２０１は、これらのユーザ情報に基づいて、ユーザに適した情報を配信する。例えば、情報配信装置１，２０１は、地図情報と情報表示端末２，２０２の位置情報とに基づいて、情報表示端末２，２０２の周辺に存在する、目的地に関する嗜好として登録された場所や食に関する嗜好として登録された店を検索し、検索された場所及び店の情報を情報表示端末２，２０２へ配信する。尚、情報表示端末２０２は、実施形態２の説明では、それ自体の位置情報の取得についての説明はされていないが、外出時に携帯される構成の場合には、実施形態１の情報表示端末２と同様に、それ自体の位置情報を取得し、情報配信装置２０１へ送信する。
【００９６】
また、本発明は、装置として実現するだけでなく、このような装置が備える処理手段を備える集積回路として実現したり、その装置を構成する処理手段をステップとする方法として実現したり、それらステップをコンピュータに実行させるプログラムとして実現したり、そのプログラムを示す情報、データまたは信号として実現したりすることもできる。そして、それらプログラム、情報、データ及び信号は、ＣＤ−ＲＯＭ等の記録媒体やインターネット等の通信媒体を介して配信してもよい。
【００９７】
尚、以上の実施形態は、本質的に好ましい例示であって、本発明、その適用物、あるいはその用途の範囲を制限することを意図するものではない。本発明の趣旨を逸脱しない限り、当業者が思いつく各種変形を本実施形態に施したものや、異なる実施形態における構成要素を組み合わせて構築される形態も、本発明の範囲内に含まれる。
【産業上の利用可能性】
【００９８】
本発明は、情報配信システム、情報配信装置、情報表示端末及び携帯端末に利用することができる。
【符号の説明】
【００９９】
１００，２００  情報配信システム
１，２０１      情報配信装置
２，２０２      情報表示端末
３，２０３      携帯端末
１２            ユーザ情報管理部（ユーザ情報管理手段）
１５ａ          宅内判定部（ユーザ特定手段）
１５ｂ          配信情報作成部（配信情報作成手段）
２２５          制御部（ユーザ特定手段）
【図２】
2012164056.tif 000003
【図３】
2012164056.tif 000004
【図４】
2012164056.tif 000005
【図５】
2012164056.tif 000006
【図６】
2012164056.tif 000007
【図７】
2012164056.tif 000008
【図８】
2012164056.tif 000009
【図９】
2012164056.tif 000010
【図１０】
2012164056.tif 000011
【図１１】
2012164056.tif 000012
【図１２】
2012164056.tif 000013
【図１３】
2012164056.tif 000014
【図１４】
2012164056.tif 000015
【図１５】
2012164056.tif 000016
【図１６】
2012164056.tif 000017
【図１７】
2012164056.tif 000018
【図１８】
2012164056.tif 000019
【図１９】
2012164056.tif 000020
【図２０】
2012164056.tif 000021
【図２１】
2012164056.tif 000022
【図１】
2012164056.tif 000023